(57)【要約】【課題】風通しを改善して洗濯物を短い時間で乾燥させるピンチハンガーを提供する。【解決手段】他部材Ｐに着脱自在に取着される取付具１と、取付具１に連結されて水平状姿勢に保持されるフレーム２と、複数個の洗濯ばさみ４と、洗濯ばさみ４をフレーム２に吊り下げるための吊下部材３とを、備えたピンチハンガーに於て、吊下部材３は、長さ寸法Ｌが相違する複数種類を備え、吊下部材３の下端に設けられた洗濯ばさみ４が段違い状に配設されている。【選択図】図１
2015116247.tif 000002
【特許請求の範囲】
【請求項１】
他部材（Ｐ）に着脱自在に取着される取付具（１）と、該取付具（１）に連結されて水平状姿勢に保持されるフレーム（２）と、複数個の洗濯ばさみ（４）と、該洗濯ばさみ（４）を上記フレーム（２）に吊り下げるための吊下部材（３）とを、備えたピンチハンガーに於て、
上記吊下部材（３）は、長さ寸法（Ｌ）が相違する複数種類を備え、該吊下部材（３）の下端に設けられた上記洗濯ばさみ（４）が段違い状に配設されていることを特徴とするピンチハンガー。
【請求項２】
他部材（Ｐ）に着脱自在に取着される取付具（１）と、該取付具（１）に連結されて水平状姿勢に保持されるフレーム（２）と、複数個の洗濯ばさみ（４）と、該洗濯ばさみ（４）を上記フレーム（２）に吊り下げるための吊下部材（３）とを、備えたピンチハンガーに於て、
複数個の内の一部の洗濯ばさみ（４）を上記フレーム（２）に直接に取付け、他の洗濯ばさみ（４）と上記フレーム（２）を連結する上記吊下部材（３）は、長さ寸法（Ｌ）が相違する複数種類を備え、上記洗濯ばさみ（４）が段違い状に配設されていることを特徴とするピンチハンガー。
【発明の詳細な説明】
【技術分野】
【０００１】
本発明は、洗濯物を吊り下げるピンチハンガーに関する。
【背景技術】
【０００２】
従来、下着、靴下、ハンカチ等の洗濯物を、複数個の洗濯ばさみ（ピンチ）に吊り下げて乾燥させるためのピンチハンガーが用いられている（特許文献１参照）。
【先行技術文献】
【特許文献】
【０００３】
【特許文献１】特開２０１２−６５６９６号公報
【発明の概要】
【発明が解決しようとする課題】
【０００４】
しかし、図７に示すように、従来のピンチハンガーは、洗濯ばさみ（ピンチ）４４の上下取付位置について特段の注意が払われておらず、フレーム４２と複数個の洗濯ばさみ４４は全て同一形状の吊下部材４３で連結されていた。例えば、全ての洗濯ばさみ４４に濡れた洗濯物Ｓを挟んで吊下げた場合、全ての洗濯物Ｓが同じ高さ位置に並ぶことになる。その結果、狭い所に密集した洗濯物Ｓによって、空気の流通が妨げられ、つまり、風通しが悪くなって、洗濯物Ｓが乾燥するのに長時間を要するという欠点があった。
【０００５】
そこで、本発明は、風通しを改善して洗濯物を短い時間で乾燥させるピンチハンガーを提供することを目的とする。
【課題を解決するための手段】
【０００６】
本発明に係るピンチハンガーは、他部材に着脱自在に取着される取付具と、該取付具に連結されて水平状姿勢に保持されるフレームと、複数個の洗濯ばさみと、該洗濯ばさみを上記フレームに吊り下げるための吊下部材とを、備えたピンチハンガーに於て、上記吊下部材は、長さ寸法が相違する複数種類を備え、該吊下部材の下端に設けられた上記洗濯ばさみが段違い状に配設されているものである。
【０００７】
また、他部材に着脱自在に取着される取付具と、該取付具に連結されて水平状姿勢に保持されるフレームと、複数個の洗濯ばさみと、該洗濯ばさみを上記フレームに吊り下げるための吊下部材とを、備えたピンチハンガーに於て、複数個の内の一部の洗濯ばさみを上記フレームに直接に取付け、他の洗濯ばさみと上記フレームを連結する上記吊下部材は、長さ寸法が相違する複数種類を備え、上記洗濯ばさみが段違い状に配設されているものである。
【発明の効果】
【０００８】
本発明のピンチハンガーによれば、洗濯ばさみ（ピンチ）に吊るされた洗濯物が同じ高さに密集することなく、（段違い状に）上下方向に分散して吊り下げることができる。洗濯物を上下方向に分散させることで、洗濯物どうしの隙間が広くなり、空気の流通を良くして、洗濯物を迅速に乾かすことができる。
【図面の簡単な説明】
【０００９】
【図１】本発明の第１実施形態を示した正面図である。
【図２】本発明の第２実施形態を示した正面図である。
【図３】本発明の第３実施形態を示した正面図である。
【図４】本発明のピンチハンガーの使用状態を示した正面図である。
【図５】本発明の第４実施形態を示した正面図である。
【図６】ピンチハンガーの簡略平面図である。
【図７】従来のピンチハンガーの使用状態を示した正面図である。
【発明を実施するための形態】
【００１０】
以下、実施の形態を示す図面に基づき本発明を詳説する。
図１〜図３は、本発明に係るピンチハンガーの第１〜第３の実施形態を示している。本発明は、物干し竿等の他部材Ｐに着脱自在に取着される取付具１と、取付具１に連結されて水平状姿勢に保持されるフレーム２と、複数個の洗濯ばさみ４と、洗濯ばさみ４をフレーム２に吊り下げるための吊下部材３とを、備え、洗濯ばさみ４に、下着、靴下、ハンカチ等の洗濯物を吊り下げて乾燥させるピンチハンガーに関するものである。
フレーム２は、合成樹脂、又は、ステンレス鋼等の金属にて平面視の外形が矩形状に形成され、相互に平行な中間杆部を有する形状とする。そして、取付具１に鎖状体１５を介して吊持されている。取付具１は、物干し竿（他部材）Ｐに引っ掛けるフック部１０を有し、合成樹脂又はステンレス鋼にて形成されている。
【００１１】
図１及び図２では、吊下部材３は、金属製又は合成樹脂製の鎖から成り、長さ寸法Ｌが相違する複数種類を備えている。即ち、吊下部材３は、揺動自在に洗濯ばさみ４を吊持し、かつ、吊下部材３の下端に設けられた洗濯ばさみ４が段違い状に配設されている。
図１に示す第１実施形態では、正面視に於て、左右方向中央位置の吊下部材３が比較的短く、中間位置の吊下部材３，３が中程度の長さ寸法Ｌに設定され、外側位置の吊下部材３，３が比較的長く設定されている。
一方、図２に示す第２実施形態では、正面視に於て、左右方向中央位置の吊下部材３が比較的長く、中間位置の吊下部材３，３が中程度の長さ寸法Ｌに設定され、外側位置の吊下部材３，３が比較的短く設定されている。
【００１２】
図３に示す第３実施形態では、吊下部材３は、１個又は複数個のプラスチック製Ｓ字フック１３にて構成されている。１個の（単一の）Ｓ字フック１３をもって吊下部材３を構成して長さ寸法Ｌが短く、複数個の（３個〜５個の）Ｓ字フック１３を長手方向に直列状に連結して吊下部材３を構成し、長さ寸法Ｌが長く設定される。この構成によれば、同一形状のＳ字フック１３の大量生産が容易であり、コストを低く抑えることができる。
図３では、長さ寸法Ｌの短い吊下部材３と長い吊下部材３の配置が長短交互状乃至ランダム状となっており、正面視に於て、左右方向中央位置と外側位置に長さ寸法Ｌの短い吊下部材３，３，３が配設され、中間位置には、長さ寸法Ｌの長い吊下部材３，３が配設されている。また、取付具１は、物干し竿（他部材）Ｐを挟み込むクリップ部１１を有し、使用状態で、強い風が吹いてピンチハンガーが揺動した場合であっても、クリップ部１１が物干し竿Ｐを挟持して、落下を防止するように構成されている。
【００１３】
上述した本発明のピンチハンガーの使用方法（作用）について説明する。
図４に示すように、各吊下部材３の下端に設けられた段違い状の洗濯ばさみ４の全てに、濡れた洗濯物Ｓを挟んで吊下げる。洗濯ばさみ４は、洗濯物Ｓに高低差をつけて吊り下げているため、洗濯物Ｓが風Ｗに良く当り、尚且つ、隣り合う洗濯物Ｓ，Ｓ間の間隔が広く、風通しが良い。従って、濡れた洗濯物Ｓが乾燥するまでの時間を短縮し、迅速に乾かすことができる。なお、図例では、図３に示す実施形態のピンチハンガーの使用状態を示したが、図１及び図２に示す実施形態のピンチハンガーを使用した場合であっても、作用・効果は同等である。
【００１４】
次に、図５は、本発明のピンチハンガーの第４の実施形態を示している。
図５では、他部材Ｐに着脱自在に取着される取付具１と、取付具１に連結されて水平状姿勢に保持されるフレーム２と、複数個の洗濯ばさみ４と、洗濯ばさみ４をフレーム２に吊り下げるための吊下部材３とを、備えたピンチハンガーに於て、複数個の内の一部の洗濯ばさみ４をフレーム２に直接に取付けている。他の洗濯ばさみ４とフレーム２を連結する吊下部材３は、長さ寸法Ｌが相違する複数種類を備え、洗濯ばさみ４が段違い状に配設されている。
図５では、フレーム２，２が、図中２点鎖線で示すように枢着部２０を中心に折畳み可能に形成され、取付具１が枢着部２０に直接に連結されている。フレーム２，２は、平面状に展開した状態で、取付具１に吊持されて、水平状姿勢に保持されている。また、吊下部材３は、長さ寸法Ｌが相違する（可撓性の）紐状体から成り、その配置は、段階的に長さ寸法Ｌを次第に増減させても良く、長短交互状乃至ランダム状配置としても良い。
【００１５】
なお、本発明は、設計変更可能であって、例えば、フレーム２は、外形が平面視で円環状に形成され環の内側にリブを有する形状としても良く、その他、半円形状や放射状とするも好ましい。なお、取付具１を取着する他部材Ｐとしては、物干し竿に限らず、ベランダの手摺りや天井側のレールに取着することも可能である。
【００１６】
図６に示すように、本発明のピンチハンガーは、平面視に於て、例えば、図６（Ａ）では、上記第１実施形態（図１参照）に対応して、フレーム２の左右方向中央の列に、長さ寸法Ｌの短い吊下部材３を配設し、その左右に隣接する中間列に中程度の長さ寸法Ｌの吊下部材３を、外側の列に長さ寸法Ｌの長い吊下部材３を配設している。一方、図６（Ｂ）では、上記第２実施形態（図２参照）に対応して、フレーム２の左右方向中央の列に、長さ寸法Ｌの長い吊下部材３を配設し、その左右に隣接する中間列に中程度の長さ寸法Ｌの吊下部材３を、外側の列に長さ寸法Ｌの短い吊下部材３を配設している。なお、図中「Ｓ」は長さ寸法Ｌの短い吊下部材３の配置を示し、「Ｍ」は中程度の長さ寸法Ｌの吊下部材３の配置を示し、「Ｌ」は長さ寸法Ｌの長い吊下部材３の配置を示している。
【００１７】
また、図６（Ｃ）では、上記第３実施形態（図３参照）に対応して、フレーム２の左右方向中央の列に、長さ寸法Ｌの短い吊下部材３を配設し、その左右に隣接する中間列に長さ寸法Ｌの長い吊下部材３を、外側の列に長さ寸法Ｌの短い吊下部材３を配設している。さらに、図６（Ｄ）に示すように、フレーム２の中央位置に、長さ寸法Ｌの短い吊下部材３を配設し、その周囲を囲むように中程度の長さ寸法Ｌの吊下部材３を設け、その外側の（四隅の）位置に長さ寸法Ｌの長い吊下部材３，３を配設するも好ましい。これとは逆に、図６（Ｅ）では、フレーム２の中央位置に、長さ寸法Ｌの長い吊下部材３を配設し、その周辺に中程度の長さ寸法Ｌの吊下部材３を設け、外側の位置に長さ寸法Ｌの短い吊下部材３，３を配設しても良い。図６（Ｆ）に示すように、ＳとＭとＬがランダム状に配置されていても良い。また、フレーム２が放射状の枝アームを有している場合には、図６（Ｇ）に示すように、各枝毎に長さ寸法Ｌの相違する複数種類の吊下部材３を設け、洗濯ばさみ４を段違い状とするも望ましい。なお、図６に於ては、フレーム２の外枠のみを示して、複数本の中間杆部を図示省略している。
【００１８】
以上のように、本発明に係るピンチハンガーは、他部材Ｐに着脱自在に取着される取付具１と、取付具１に連結されて水平状姿勢に保持されるフレーム２と、複数個の洗濯ばさみ４と、洗濯ばさみ４をフレーム２に吊り下げるための吊下部材３とを、備えたピンチハンガーに於て、吊下部材３は、長さ寸法Ｌが相違する複数種類を備え、吊下部材３の下端に設けられた洗濯ばさみ４が段違い状に配設されているので、洗濯ばさみ４に吊るされた洗濯物Ｓが同じ高さに密集することなく、（段違い状に）上下方向に分散して吊り下げることができる。洗濯物Ｓを上下方向に分散させることで、洗濯物Ｓ，Ｓどうしの隙間が広くなり、空気の流通を良くして、洗濯物Ｓを迅速に乾かすことができる。
【００１９】
また、他部材Ｐに着脱自在に取着される取付具１と、取付具１に連結されて水平状姿勢に保持されるフレーム２と、複数個の洗濯ばさみ４と、洗濯ばさみ４をフレーム２に吊り下げるための吊下部材３とを、備えたピンチハンガーに於て、複数個の内の一部の洗濯ばさみ４をフレーム２に直接に取付け、他の洗濯ばさみ４とフレーム２を連結する吊下部材３は、長さ寸法Ｌが相違する複数種類を備え、洗濯ばさみ４が段違い状に配設されているので、洗濯ばさみ４に吊るされた洗濯物Ｓが同じ高さに密集することなく、（段違い状に）上下方向に分散して吊り下げることができる。洗濯物Ｓを上下方向に分散させることで、洗濯物Ｓ，Ｓどうしの隙間が広くなり、空気の流通を良くして、洗濯物Ｓを迅速に乾かすことができる。
【符号の説明】
【００２０】
１  取付具
２  フレーム
３  吊下部材
４  洗濯ばさみ
Ｐ  他部材
Ｌ  長さ寸法
【図１】
2015116247.tif 000003
【図２】
2015116247.tif 000004
【図３】
2015116247.tif 000005
【図４】
2015116247.tif 000006
【図５】
2015116247.tif 000007
【図６】
2015116247.tif 000008
【図７】
2015116247.tif 000009